(57)【要約】      （修正有）【課題】画像形成装置が外部装置と受動的に通信を行っている状態でも装置の電力モードとともに認証状態を移行することができる画像形成装置及びプログラムを提供する。【解決手段】画像形成装置１は、操作者からの指示を受け付ける受付手段２１と、相手通信部との間で、受付手段２１が受け付けた指示に基づく第１の通信、又は指示に基づかない第２の通信を確立し、確立した第１又は第２の通信が切断されない限り、第１又は第２の通信を維持するブラウザ２２と、ブラウザ２２によって確立された第１又は第２の通信を監視し、相手通信部との間の通信が第１の通信であるか、第２の通信であるかを判断する通信監視手段２３と、通信監視手段２３が相手通信部との間の通信が第２の通信であると判断した場合に、ブラウザ２２による通信を目的とした第１の状態からブラウザ２２による通信以外を目的とした第２の状態に移行する移行手段２５とを備える。【選択図】図１
2014236427.tif 000002
【特許請求の範囲】
【請求項１】
操作者からの指示を受け付ける受付手段と、
相手通信部との間で、前記受付手段が受け付けた前記指示に基づく第１の通信、又は前記指示に基づかない第２の通信を確立し、確立した前記第１又は第２の通信が切断されない限り前記第１又は第２の通信を維持する通信手段と、
前記通信手段によって確立された前記第１又は第２の通信を監視し、前記相手通信部との間の通信が前記第１の通信であるか、前記第２の通信であるかを判断する通信監視手段と、
前記通信監視手段が前記相手通信部との間の前記通信が前記第２の通信であると判断した場合に、前記通信手段による前記通信を目的とした第１の状態から前記通信手段による前記通信以外を目的とした第２の状態に移行する移行手段と、
を備えた画像形成装置。
【請求項２】
前記移行手段は、前記通信監視手段が前記相手通信部との間の前記通信が前記第２の通信であると判断した場合に、前記受付手段が前記指示を受け付けた時、又は前記第１の通信が完了した時から予め定められた時間が経過した後に前記第１の状態から前記第２の状態に移行する、
請求項１に記載の画像形成装置。
【請求項３】
前記通信手段は、操作者が前記指示をするための画像情報を表示部に表示するブラウザである、
請求項１又は２に記載の画像形成装置。
【請求項４】
本装置に通常の電力を供給する通常モードと、本装置の消費電力を抑える節電モードとを含む電力モードを制御する電力制御手段をさらに備え、
前記移行手段は、前記電力制御手段により前記第１の状態として前記通常モードから、前記第２の状態として前記節電モードに移行させるものである、
請求項１から３のいずれか１項に記載の画像形成装置。
【請求項５】
操作者を認証し、認証された操作者が前記指示を可能とする認証手段をさらに有し、
前記移行手段は、前記第１の状態として前記認証手段が操作者を認証した状態から、前記第２の状態として前記認証を解除した状態に移行させるものである、
請求項１から３のいずれか１項に記載の画像形成装置。
【請求項６】
前記ブラウザは、マークアップ言語により記述されたアプリケーションを実行する、
前記請求項３に記載の画像形成装置。
【請求項７】
操作者からの指示を受け付ける受付手段と、
相手通信部との間で、前記受付手段が受け付けた前記指示に基づく第１の通信、又は前記指示に基づかない第２の通信を確立し、確立した前記第１又は第２の通信が切断されない限り前記第１又は第２の通信を維持する通信手段と、
前記通信手段によって確立された前記第１又は第２の通信を監視し、前記相手通信部との間の通信が前記第１の通信であるか、前記第２の通信であるかを判断する通信監視手段と、
前記通信監視手段が前記相手通信部との間の前記通信が前記第２の通信であると判断した場合に、前記通信手段による前記通信を目的とした第１の状態から前記通信手段による前記通信以外を目的とした第２の状態に移行する移行手段としてコンピュータを機能させるためのプログラム。
【発明の詳細な説明】
【技術分野】
【０００１】
本発明は、画像形成装置及びプログラムに関する。
【背景技術】
【０００２】
従来の技術として、セキュリティの向上のために認証機能を有する画像形成装置が提案されている（例えば、特許文献１参照。）。
【０００３】
特許文献１に記載の画像形成装置は、所定の選択操作がされた場合、所定の選択操作に対応する処理を終了する前にログアウトするか否かを確認する確認画面を表示することにより、画像形成装置がログイン状態のまま放置されることを抑制している。
【０００４】
このような画像形成装置は、サーバと受動的に通信を行っている場合、装置で実行中の処理が継続していると判断して上記のログイン状態からログアウトする等の装置の状態を移行できない場合がある。
【先行技術文献】
【特許文献】
【０００５】
【特許文献１】特開２００８−２８３２３７号公報
【発明の概要】
【発明が解決しようとする課題】
【０００６】
本発明の目的は、本装置が受動的に通信を行っている状態でも本装置の状態を移行させることができる画像形成装置及びプログラムを提供することにある。
【課題を解決するための手段】
【０００７】
本発明の一態様として、以下の画像形成装置及びプログラムを提供する。
［１］操作者からの指示を受け付ける受付手段と、
相手通信部との間で、前記受付手段が受け付けた前記指示に基づく第１の通信、又は前記指示に基づかない第２の通信を確立し、確立した前記第１又は第２の通信が切断されない限り前記第１又は第２の通信を維持する通信手段と、
前記通信手段によって確立された前記第１又は第２の通信を監視し、前記相手通信部との間の通信が前記第１の通信であるか、前記第２の通信であるかを判断する通信監視手段と、
前記通信監視手段が前記相手通信部との間の前記通信が前記第２の通信であると判断した場合に、前記通信手段による前記通信を目的とした第１の状態から前記通信手段による前記通信以外を目的とした第２の状態に移行する移行手段と、
を備えた画像形成装置。
［２］前記移行手段は、前記通信監視手段が前記相手通信部との間の前記通信が前記第２の通信であると判断した場合に、前記受付手段が前記指示を受け付けた時、又は前記第１の通信が完了した時から予め定められた時間が経過した後に前記第１の状態から前記第２の状態に移行する、
前記［１］に記載の画像形成装置。
［３］前記通信手段は、操作者が前記指示をするための画像情報を表示部に表示するブラウザである、
前記［１］又は［２］に記載の画像形成装置。
［４］本装置に通常の電力を供給する通常モードと、本装置の消費電力を抑える節電モードとを含む電力モードを制御する電力制御手段をさらに備え、
前記移行手段は、前記電力制御手段により前記第１の状態として前記通常モードから、前記第２の状態として前記節電モードに移行させるものである、
前記［１］から［３］のいずれかに記載の画像形成装置。
［５］操作者を認証し、認証された操作者が前記指示を可能とする認証手段をさらに有し、
前記移行処理は、前記第１の状態として前記認証手段が操作者を認証した状態から、前記第２の状態として前記認証を解除した状態に移行させるものである、
前記［１］から［３］のいずれかに記載の画像形成装置。
［６］前記ブラウザは、マークアップ言語により記述されたアプリケーションを実行する、
前記［３］に記載の画像形成装置。
【０００８】
［７］操作者からの指示を受け付ける受付手段と、
相手通信部との間で、前記受付手段が受け付けた前記指示に基づく第１の通信、又は前記指示に基づかない第２の通信を確立し、確立した前記第１又は第２の通信が切断されない限り前記第１又は第２の通信を維持する通信手段と、
前記通信手段によって確立された前記第１又は第２の通信を監視し、前記相手通信部との間の通信が前記第１の通信であるか、前記第２の通信であるかを判断する通信監視手段と、
前記通信監視手段が前記相手通信部との間の前記通信が前記第２の通信であると判断した場合に、前記通信手段による前記通信を目的とした第１の状態から前記通信手段による前記通信以外を目的とした第２の状態に移行する移行手段としてコンピュータを機能させるためのプログラム。
【発明の効果】
【０００９】
請求項１、６、７に係る発明によれば、本装置が受動的に通信を行っている状態でも本装置の状態を移行させることができる。
【００１０】
請求項２に係る発明によれば、操作者からの指示を受け付けているときに、本装置の状態が移行することを抑制できる。
【００１１】
請求項３に係る発明によれば、本装置が有する機能の実行、印刷条件の設定等を操作者がブラウザから行うことができる。
【００１２】
請求項４に係る発明によれば、本装置の消費電力を抑えることができる。
【００１３】
請求項５に係る発明によれば、本装置のセキュリティを高めることができる。
【図面の簡単な説明】
【００１４】
【図１】図１は、本発明の第１の実施の形態に係る画像形成装置の一例を示すブロック図である。
【図２】図２は、電力モードを移行させる処理の一例を示すフローチャートである。
【図３】図３は、本発明の第２の実施の形態に係る画像形成装置の一例を示すブロック図である。
【図４】図４は、本発明の第３の実施の形態に係る画像形成装置の一例を示すブロック図である。
【発明を実施するための形態】
【００１５】
以下、本発明の実施の形態について図面を参照して説明する。なお、各図中、実質的に同一の機能を有する構成要素については、同一の符号を付してその重複した説明を省略する。
【００１６】
［第１の実施の形態］
図１は、本発明の第１の実施の形態に係る画像形成装置の一例を示すブロック図である。
【００１７】
この画像形成装置１は、例えば、コピー、スキャン、プリント、ファクシミリ等の複数の機能を有する複合機であり、画像形成装置１の各部を制御する制御部２０を有し、この制御部２０に、操作表示部１０、画像読取部３０、画像処理部４０、画像出力部５０、ファクシミリ部６０、通信部７０及び記憶部８０が接続されている。また、画像形成装置１は、ネットワーク２００を介してサーバ１０１、パーソナルコンピューター（ＰＣ）１０２、スマートフォン（多機能携帯電話機）１０３、タブレット端末１０４等の外部装置１００に接続されている。
【００１８】
操作表示部１０は、例えば液晶ディスプレイ等の表示部にタッチパネルが重合配置されたタッチパネルディスプレイを有し、操作画面を表示部に表示するとともに、操作者からタッチパネルへの指示を受け付ける。なお、操作表示部１０は、タッチパネルを有さない液晶ディスプレイ等であってもよい。
【００１９】
画像読取部３０は、例えばスキャナにより構成され、原稿から画像データを読み取って入力する。画像処理部４０は、画像読取部３０等から入力した画像データの圧縮、伸張、合成等の画像処理を行う。画像出力部５０は、例えば感光体による画像保持体を有し、用紙等の記録媒体に画像を形成して出力する。
【００２０】
ファクシミリ部６０は、Ｇ３、Ｇ４等のファクシミリプロトコルに従ってデータの変復調を行い、図示しない電話回線を介してファクシミリ通信を行う。
【００２１】
通信部７０は、ＴＣＰ／ＩＰ等の通信プロトコルに従ってデータの送受信等のネットワーク２００に関する制御を行い、ネットワーク２００を介してデータの送受信を行う。ネットワーク２００は、例えば、有線、無線で接続されたローカルエリアネットワーク（ＬＡＮ:Local Area Network）、イントラネット等である。通信部７０は、外部装置１００と接続して通信を行う。
【００２２】
制御部２０は、ＣＰＵ、インターフェース等から構成されている。ＣＰＵは、記憶部８０に記憶された実行プログラム８１に従って動作することにより、受付手段２１、ブラウザ２２、通信監視手段２３、電力制御手段２４、移行手段２５及び実行手段２６等として機能する。
【００２３】
受付手段２１は、操作表示部１０への指等の接触による操作者からの指示を受け付ける。なお、受付手段２１は、画像形成装置１に配置された図示しないボタンに対する操作により操作者からの指示を受け付けてもよい。
【００２４】
ブラウザ２２は、操作者の指示に基づいて操作表示部１０にウェブページ等を表示する。ブラウザ２２は、アプリケーション２２１を実行して画像形成装置１が有するコピー、スキャン等の機能の実行、印刷条件の設定等をウェブページ上で行うことを可能にする。また、ブラウザ２２は、アプリケーション２２１を実行して画像形成装置１の状態等を示す情報を操作表示部１０に表示する。
【００２５】
ブラウザ２２が実行するアプリケーション２２１は、マークアップ言語の一例であるＨＴＭＬ（HyperText Markup Language）、ＸＭＬ（Extensible Markup Language）、ＸＨＴＭＬ（Extensible HyperText Markup Language）等で記述されている。なお、ブラウザ２２は、通信手段の一例である。ブラウザ２２が行う通信の詳細については、後述する。
【００２６】
通信監視手段２３は、ブラウザ２２によって確立されたブラウザ２２と相手通信部との間の通信を監視し、その通信は受付手段２１が受け付けた操作者の指示に基づくものか、操作者の指示に基づかないものかを判断する。
【００２７】
具体的には、通信監視手段２３は、ブラウザ２２と相手通信部との間で通信されるデータに「Copy」等の予め定められた記述、「<Copy>」等の予め定められた項目等が発見された場合に当該通信を操作者の指示に基づくものであると判断する。また、通信監視手段２３は、上記記述や項目が発見できない場合に、当該通信を操作者の指示に基づかないものであると判断する。
【００２８】
なお、特定の処理と、その処理を行う相手通信部が定められている場合に、操作者が特定の処理を行うように指示したとき、通信監視手段２３は、ブラウザ２２が特定の処理を行うために通信する相手通信部をＩＰ（Internet Protocol）アドレスやＵＲＬ（Uniform Resource Locator）等によって識別し、ブラウザ２２と相手通信部との間の通信が操作者の指示に基づくものと判断してもよい。
【００２９】
ここで、「相手通信部」とは、ブラウザ２２が通信を確立させる通信データを送受信する相手をいい、画像形成装置１内部の各部１０〜８０、各手段２１、２３〜２６、及び外部装置１０１〜１０４を含む。
【００３０】
電力制御手段２４は、画像形成装置１の各部１０〜８０等に供給する電力を制御する。電力制御手段２４は、各部１０〜８０等に通常の電力を供給して通信を目的とした通常モード、及びファクシミリの受信や通常モードに復帰するための電力を各部１０〜８０等に供給して画像形成装置１の消費電力を抑えることを目的とした節電モード等の電力モードを有する。なお、通常モードは、第１の状態の一例であり、節電モードは、第２の状態の一例である。
【００３１】
移行手段２５は、受付手段２１が操作者から指示を受け付けた時、又は受付手段２１が受け付けた操作者の指示に基づく通信が完了した時から、予め定められた時間が経過した後に、電力制御手段２４に電力モードを通常モードから節電モードに移行させる。
【００３２】
実行手段２６は、受付手段２１が受け付けた操作者の指示に基づくコピー、スキャン等の機能を画像読取部３０、画像処理部４０、画像出力部５０、ファクシミリ部６０及び通信部７０を制御して実行する。
【００３３】
なお、受付手段２１、通信監視手段２３、電力制御手段２４、移行手段２５又は実行手段２６は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００３４】
（ブラウザが行う通信）
次に、ブラウザ２２が行う通信の詳細について説明する。
【００３５】
ブラウザ２２が実行するアプリケーション２２１が例えばＨＴＭＬ（特に、ＨＴＭＬ５）により記述されている場合、ブラウザ２２は、通信を確立させるコマンドである「ＳｅｒｖｅｒＳｅｎｔ」コマンド及び「ＷｅｂＳｏｃｋｅｔ」コマンドを用いることが可能になる。「ＳｅｒｖｅｒＳｅｎｔ」コマンド及び「ＷｅｂＳｏｃｋｅｔ」コマンドは、ブラウザ２２と相手通信部との間で通信を確立し、この通信が切断されない限り確立した通信を維持するように指示するコマンドである。
【００３６】
ブラウザ２２は、「ＳｅｒｖｅｒＳｅｎｔ」コマンド又は「ＷｅｂＳｏｃｋｅｔ」コマンドを用いることで、ブラウザ２２と画像形成装置１内部の各部１０〜８０、各手段２１、２３〜２６、又は外部装置１０１〜１０４等との間の通信を確立させ、これらと受動的に通信を行うことができる。
【００３７】
ブラウザ２２が相手通信部との間の通信を維持した状態で受動的に通信することにより、ブラウザ２２は、定期的に相手通信部との通信を確立して相手通信部の状態の変化を問い合わせることなく、相手通信部から状態の変化に関する情報等を取得することができる。
【００３８】
また、通信監視手段２３によりブラウザ２２と相手通信部との間の通信が操作者の指示に基づく通信であるか、操作者の指示に基づかない通信であるかを判断することにより、ブラウザ２２が相手通信部との間で通信を受動的かつ継続的に行っている場合でも、電力モードを通常モードから節電モードに移行することができる。
【００３９】
（第１の実施の形態の動作）
次に、画像形成装置１の動作の一例について説明する。図２は、電力モードを移行させる処理の一例を示すフローチャートである。
【００４０】
画像形成装置１の電源が投入されると、通信監視手段２３は、ブラウザ２２が行う通信を監視し、ブラウザ２２が相手通信部と通信中であるか否かを判断する（Ｓ１）。
【００４１】
通信監視手段２３は、ブラウザ２２が相手通信部と通信中であると判断すると（Ｓ１：Ｙｅｓ）、ブラウザ２２と相手通信部との間の通信は受付手段２１が受け付けた操作者の指示に基づく通信か、基づかない通信であるかを判断する（Ｓ２）。
【００４２】
操作者が操作表示部１０への指の接触等により図示しない原稿台に置かれた原稿のコピーを指示すると、受付手段２１は、操作者が行ったコピーの指示を受け付ける。ブラウザ２２は、受付手段２１が受け付けた操作者の指示に基づくコピーの指示を実行手段２６に通知する。実行手段２６は、通知されたコピーの指示に基づいて画像読取部３０、画像処理部４０、及び画像出力部５０を制御してコピーを実行する。
【００４３】
ブラウザ２２は、実行手段２６等と通信して原稿をコピーする画像形成装置１の状態を示す情報を取得し、取得した情報に基づいて操作表示部１０の表示内容を更新する。ブラウザ２２は、取得した情報に基づいてコピーが完了したと判断すると、コピーが完了した旨を操作表示部１０に表示してコピーの完了を操作者に通知する。
【００４４】
また、操作者が操作表示部１０を操作して、原稿をスキャンし、これにより得られた画像データをサーバ１０１が加工する一連の処理を行うように指示すると、受付手段２１は、一連の処理を受け付ける。ブラウザ２２は、受付手段２１が受け付けた一連の処理に基づいて原稿のスキャンを実行手段２６が行うように指示する。実行手段２６は、画像読取部３０を制御して原稿のスキャンを実行する。
【００４５】
画像読取部３０は、原稿をスキャンして画像データを生成する。ブラウザ２２は、画像読取部３０から画像データを受信する。次に、ブラウザ２２は、受信した画像データをサーバ１０１に送信して画像データを加工するように指示する。
【００４６】
サーバ１０１は、ブラウザ２２の指示に基づいて画像データを加工し、その加工した画像データをブラウザ２２に送信する。ブラウザ２２は、サーバ１０１から加工後の画像データを受信すると、スキャンが完了した旨、加工した画像データ等を操作表示部１０に表示する。
【００４７】
操作者が操作表示部１０からコピー、スキャン等の処理の指示を行うと、通信監視手段２３は、ブラウザ２２が実行手段２６、画像読取部３０、サーバ１０１等と通信していると判断するとともに（Ｓ１：Ｙｅｓ）、ブラウザ２２と、実行手段２６、画像読取部３０、サーバ１０１等との間の通信は受付手段２１が受け付けた操作者の指示に基づく通信であると判断する（Ｓ２：Ｙｅｓ）。
【００４８】
一方、通信監視手段２３がブラウザ２２は通信中でないと判断した場合（Ｓ１：Ｎｏ）、又は通信監視手段２３がブラウザ２２と相手通信部との間の通信が受動的かつ継続的な通信であって指示に基づかない通信であると判断した場合（Ｓ２：Ｎｏ）、移行手段２５は、受付手段２１が操作者の指示を受け付けている途中であるか否かを判断する（Ｓ３）。
【００４９】
移行手段２５による受付手段２１が操作者の指示を受け付けている途中であるか否かの判断は、例えば、受付手段２１がコピーを実行するための設定を確定する操作を受け付けたか否かによって行う。
【００５０】
移行手段２５が受付手段２１は操作者の指示を受け付けている途中でないと判断した場合（Ｓ３：Ｎｏ）、移行手段２５は、予め定められた時間（例えば、５分）が設定されたタイマを起動する（Ｓ４）。
【００５１】
次に、移行手段２５は、受付手段２１がタイマ動作中に操作者の指示を受け付けたか否かを判断する（Ｓ５）。移行手段２５がタイマ起動中に操作者の指示を受け付けていないと判断すると（Ｓ５：Ｎｏ）、通信監視手段２３は、ブラウザ２２と相手通信部との間で操作者の指示に基づく通信が行われているか否かを判断する（Ｓ６）。
【００５２】
タイマ動作中に受付手段２１が操作者の指示を受け付けた場合（Ｓ５：Ｙｅｓ）、又はタイマ動作中にブラウザ２２が操作者の指示に基づく通信を行った場合（Ｓ６：Ｙｅｓ）、移行手段２５は、ステップＳ４で起動したタイマをリセットする（Ｓ７）。
【００５３】
一方、タイマ動作中に受付手段２１が操作者の指示を受け付けず（Ｓ５：Ｎｏ）、かつタイマ動作中にブラウザ２２が操作者の指示に基づく通信を行っていない場合（Ｓ６：Ｎｏ）、移行手段２５は、ステップＳ４でタイマを起動した時から、予め定められた時間が経過したか否かを判断する（Ｓ８）。
【００５４】
移行手段２５は、ステップＳ４でタイマを起動した時から予め定められた時間が経過したと判断した場合に（Ｓ８：Ｙｅｓ）、電力制御手段２４により電力モードを通常モードから節電モードに移行させる（Ｓ９）。
【００５５】
なお、電力モードが節電モードである場合、受付手段２１が操作者からの指示を受け付けると、移行手段２５は、電力制御手段２４により電力モードを節電モードから通常モードに移行させる。
【００５６】
［第２の実施の形態］
図３は、本発明の第２の実施の形態に係る画像形成装置の一例を示すブロック図である。
【００５７】
第１の実施の形態の画像形成装置１の移行手段２５は、電力制御手段２４により電力モードに関するモードを移行させるものであるが、本実施の形態の画像形成装置１Ａの移行手段２５は、認証手段２７の認証に関する状態を移行させるものである点で異なる。以下、第１の実施の形態と異なる点を中心に説明する。
【００５８】
本実施の形態の画像形成装置１Ａの制御部２０は、実行プログラム８１に従って動作することにより、受付手段２１、ブラウザ２２、通信監視手段２３、移行手段２５、実行手段２６及び認証手段２７等として機能する。
【００５９】
認証手段２７は、操作表示部１０からパスワードを受け付けると、そのパスワードが登録されているパスワードと一致するか否かを判断し、一致したときは、その操作者を正当な者として認証する。認証手段２７が操作者を認証することにより、操作者は、操作表示部１０等からコピー、スキャン等の指示を行うことが可能になる。なお、認証手段２７は、カードキーや操作者の指紋を用いて操作者を認証してもよい。
【００６０】
移行手段２５は、受付手段２１が操作者から指示を受け付けた時、又は受付手段２１が受け付けた指示に基づく通信が完了した時から予め定められた時間が経過した後、認証手段２７が操作者を認証している状態から、操作者の認証を解除した状態に移行する。なお、認証手段２７が操作者を認証している状態は、第１の状態の一例であり、認証手段２７が操作者の認証を解除した状態は、第２の状態の一例である
【００６１】
本実施の形態によれば、受付手段２１が操作者から指示を受け付けた時、又は操作者の指示に基づく通信が完了した時から予め定められた時間が経過した後、移行手段２５が操作者の認証を解除した状態に移行することにより、認証手段２７が操作者を認証した状態で画像形成装置１が放置されることを抑制できる。
【００６２】
［第３の実施の形態］
図４は、本発明の第３の実施の形態に係る画像形成装置の一例を示すブロック図である。
【００６３】
第１の実施の形態の画像形成装置１の移行手段２５は、電力制御手段２４が制御する電力モードに関してモードを移行するものであるが、本実施の形態の画像形成装置１Ｂの移行手段２５は、操作表示部１０に表示する画像情報を変更するものである点で異なる。以下、第１の実施の形態と異なる点を中心に説明する。
【００６４】
本実施の形態の画像形成装置１Ｂのブラウザ２２は、アプリケーション２２１を実行してコピー、スキャン等の機能、設定変更、情報の閲覧等の各種項目を選択するための選択画面（初期画面）、選択画面から設定変更が選択されて表示される設定画面、選択画面から情報の閲覧が選択されて表示される情報閲覧画面等を操作表示部１０に表示する。
【００６５】
移行手段２５は、受付手段２１が操作者から指示を受け付けた時、又は受付手段２１が受け付けた操作者の指示に基づく通信が完了した時から予め定められた時間が経過した後、操作表示部１０に表示された画面が設定画面、情報閲覧画面等の選択画面から選択された画面であれば、ブラウザ２２により設定画面、情報閲覧画面等から選択画面に移行させる。なお、選択画面は、第１の状態の一例であり、選択画面以外の設定画面、情報閲覧画面等は、第２の状態の一例である。
【００６６】
本実施の形態によれば、移行手段２５が設定画面又は情報閲覧画面から選択画面に移行することにより、画像形成装置１Ｂの操作性を向上させることができる。すなわち、操作表示部１０の表示が設定画面又は情報閲覧画面のまま画像形成装置１が放置されることが抑制されるため、他の操作者が選択画面から画像形成装置１Ｂの操作を開始できる。
【００６７】
［変形例］
なお、本発明の実施の形態は、上記各実施の形態に限定されず、本発明の要旨の範囲内で種々に変形実施が可能である。例えば、第１の実施の形態の画像形成装置１に認証手段２７を設け、移行手段２５が電力モードとともに認証状態を移行するものとしてもよい。
【００６８】
また、移行手段が電力モードを移行するととともに、設定画面又は情報閲覧画面から選択画面に移行するものとしてもよい。
【００６９】
また、本発明の要旨を変更しない範囲内で、上記各実施の形態の構成要素の一部を省くことが可能である。また、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００７０】
１、１Ａ、１Ｂ…画像形成装置、１０…操作表示部、２０…制御部、２１…受付手段、２２…ブラウザ、２３…通信監視手段、２４…電力制御手段、２５…移行手段、２６…実行手段、２７…認証手段、３０…画像読取部、４０…画像処理部、５０…画像出力部、６０…ファクシミリ部、７０…通信部、８０…記憶部、８１…実行プログラム、１００…外部装置、１０１…サーバ、１０２…ＰＣ、１０３…スマートフォン、１０４…タブレット端末、２００…ネットワーク、２２１…アプリケーション
【図１】
2014236427.tif 000003
【図２】
2014236427.tif 000004
【図３】
2014236427.tif 000005
【図４】
2014236427.tif 000006